(57)【特許請求の範囲】
【請求項１】
画像データを入力する入力部と、
前記画像データを縮小した第１サムネイル画像を表示する第１タッチパネルと、
所定の時期に対応する複数の表示領域が設けられ、前記画像データを縮小した第２サムネイル画像を、撮影日に基づいていずれかの表示領域に表示する第２タッチパネルと、
前記第１サムネイル画像の選択を含む印刷注文の入力を受け付ける受付部と、
前記印刷注文に基づいて前記画像データを印刷するプリンタと、
前記第２サムネイル画像が選択されると、選択された第２サムネイル画像に対応する複数の第１サムネイル画像を前記第１タッチパネルに表示させる制御部と、
を備える画像プリント装置。
【請求項２】
前記第２タッチパネルは、前記第２サムネイル画像とともに撮影日情報を表示することを特徴とする請求項１に記載の画像プリント装置。
【請求項３】
前記第２タッチパネルは、前記入力部から撮影日が同じ複数の画像データが入力された場合、該複数の画像データのうち少なくとも１つを縮小した第２サムネイル画像を表示し、
前記撮影日情報は前記第２サムネイル画像の撮影日の日付であることを特徴とする請求項２に記載の画像プリント装置。
【請求項４】
前記制御部は、前記第２サムネイル画像が選択されると、選択された第２サムネイル画像と撮影日が同じ第１サムネイル画像を前記第１タッチパネルに表示させることを特徴とする請求項３に記載の画像プリント装置。
【請求項５】
前記撮影日情報は、複数日にわたる期間を示し、
前記第２タッチパネルは、該期間に撮影された画像データのうち少なくとも１つを縮小した第２サムネイル画像を表示することを特徴とする請求項２に記載の画像プリント装置。
【請求項６】
前記制御部は、前記第２サムネイル画像が選択されると、対応する撮影日情報に示される期間に撮影された第１サムネイル画像を前記第１タッチパネルに表示させることを特徴とする請求項３に記載の画像プリント装置。
【請求項７】
前記表示領域は、季節に対応した季節別表示領域、又はイベントに対応したイベント別表示領域であることを特徴とする請求項１乃至６のいずれかに記載の画像プリント装置。
【請求項８】
画像データを入力する入力部と、
前記画像データを縮小した第１サムネイル画像を表示する第１タッチパネルと、
所定の時期に対応する複数の表示領域が設けられ、前記画像データを縮小した第２サムネイル画像を、撮影日に基づいていずれかの表示領域に表示する第２タッチパネルと、
前記第１サムネイル画像の選択を含む印刷注文の入力を受け付ける受付部と、
前記印刷注文及び前記画像データを外部へ送信する通信部と、
前記第２サムネイル画像が選択されると、選択された第２サムネイル画像に対応する複数の第１サムネイル画像を前記第１タッチパネルに表示させる制御部と、
を備える注文受付端末。
【発明の詳細な説明】
【技術分野】
【０００１】
本発明は、利用者が所有する記憶媒体や携帯端末等に記憶されている画像データをプリント出力する画像プリント装置、及び画像データのプリント注文を受け付ける注文受付端末に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像をページ単位でサムネイル表示し、利用者に提示する。そして、利用者がプリントする画像を選択し、プリント枚数等を指定すると、画像プリント装置は画像をプリント出力する。
【０００３】
記憶媒体に大量の画像データが記憶されている場合、利用者はプリントを所望する画像を選択するために、ページの切り替えやスクロール操作を何度も行い、大量のページを確認することになるため、所望の画像を探し出すのに非常に手間がかかっていた。
【０００４】
従来の画像プリント装置は、ファイル名や日付（撮影日）を指定して検索を行い、表示される画像を絞り込む機能を有しているが、検索条件の入力が面倒であり、画像プリント装置の操作に慣れていない利用者にはあまり利用されていなかった。
【先行技術文献】
【特許文献】
【０００５】
【特許文献１】特開２００８−６７２６６号公報
【特許文献２】特開２０１２−３５６８号公報
【発明の概要】
【発明が解決しようとする課題】
【０００６】
本発明は、上記従来の実状に鑑みてなされたものであり、大量の画像から所望の画像を容易に探し出すことができる画像プリント装置及び注文受付端末を提供することを課題とする。
【課題を解決するための手段】
【０００７】
本発明の一態様による画像プリント装置は、画像データを入力する入力部と、前記画像データを縮小した第１サムネイル画像を表示する第１表示部と、所定の時期に対応する複数の表示領域が設けられ、前記画像データを縮小した第２サムネイル画像を、撮影日に基づいていずれかの表示領域に表示する第２表示部と、前記第１サムネイル画像の選択を含む印刷注文の入力を受け付ける受付部と、前記印刷注文に基づいて前記画像データを印刷するプリンタと、前記第２サムネイル画像が選択されると、選択された第２サムネイル画像に対応する第１サムネイル画像を前記第１表示部に表示させる制御部と、を備えるものである。
【０００８】
本発明の一態様による画像プリント装置において、前記第２表示部は、前記第２サムネイル画像とともに撮影日情報を表示することが好ましい。
【０００９】
本発明の一態様による画像プリント装置において、前記第２表示部は、前記入力部から撮影日が同じ複数の画像データが入力された場合、該複数の画像データのうち少なくとも１つを縮小した第２サムネイル画像を表示し、前記撮影日情報は前記第２サムネイル画像の撮影日の日付であることが好ましい。
【００１０】
本発明の一態様による画像プリント装置において、前記制御部は、前記第２サムネイル画像が選択されると、選択された第２サムネイル画像と撮影日が同じ第１サムネイル画像を前記第１表示部に表示させることが好ましい。
【００１１】
本発明の一態様による画像プリント装置において、前記撮影日情報は、複数日にわたる期間を示し、前記第２表示部は、該期間に撮影された画像データのうち少なくとも１つを縮小した第２サムネイル画像を表示することが好ましい。
【００１２】
本発明の一態様による画像プリント装置において、前記制御部は、前記第２サムネイル画像が選択されると、対応する撮影日情報に示される期間に撮影された第１サムネイル画像を前記第１表示部に表示させることが好ましい。
【００１３】
本発明の一態様による画像プリント装置において、前記表示領域は、季節に対応した季節別表示領域、又はイベントに対応したイベント別表示領域であることが好ましい。
【００１４】
本発明の一態様による注文受付端末は、画像データを入力する入力部と、前記画像データを縮小した第１サムネイル画像を表示する第１表示部と、所定の時期に対応する複数の表示領域が設けられ、前記画像データを縮小した第２サムネイル画像を、撮影日に基づいていずれかの表示領域に表示する第２表示部と、前記第１サムネイル画像の選択を含む印刷注文の入力を受け付ける受付部と、前記印刷注文及び前記画像データを外部へ送信する通信部と、前記第２サムネイル画像が選択されると、選択された第２サムネイル画像に対応する第１サムネイル画像を前記第１表示部に表示させる制御部と、を備えるものである。
【発明の効果】
【００１５】
本発明によれば、第１サムネイル画像を第１表示部に表示し、第１表示部とは異なる第２表示部に、それぞれ異なる時期に対応する複数の表示領域を設け、撮影日に基づいて第２サムネイル画像をいずれかの表示領域に表示する。そして、第２サムネイル画像が選択されると、選択された第２サムネイル画像に対応する第１サムネイル画像を第１表示部に表示する。そのため、直感的に時期から特定の日付の画像を選択して第１表示部に表示でき、所望の画像を容易に探し出すことができる。
【図面の簡単な説明】
【００１６】
【図１】本発明の実施形態に係る画像プリント装置のブロック構成図である。
【図２】同実施形態に係る画像プリント装置の概略斜視図である。
【図３】第１タッチパネルのサムネイル画面の一例を示す図である。
【図４】第２タッチパネルの検索画面の一例を示す図である。
【図５】第２サムネイル画像選択後の第１タッチパネルのサムネイル画面の一例を示す図である。
【図６】同実施形態に係る画像プリント処理を説明するフローチャートである。
【図７】第２タッチパネルの検索画面の一例を示す図である。
【図８】第２タッチパネルの検索画面の一例を示す図である。
【図９】第２タッチパネルの検索画面の一例を示す図である。
【図１０】第２タッチパネルの検索画面の一例を示す図である。
【図１１】変形例による画像プリント装置の概略斜視図である。
【発明を実施するための形態】
【００１７】
以下、本発明の実施の形態を図面に基づいて説明する。
【００１８】
図１は本実施形態による画像プリント装置のブロック構成図であり、図２は画像プリント装置の概略斜視図である。図１に示すように、画像プリント装置は、第１タッチパネル１０Ａ、第２タッチパネル１０Ｂ、データ入力部１１、課金部１２、プリンタ１３、ＣＰＵ（中央処理部）１４、ディスク装置（記憶部）１５、及びメインメモリ１６を有する。画像プリント装置の各部はバスを介して接続されている。
【００１９】
図２に示すように、第１タッチパネル１０Ａは筐体１の天板１Ａ部分に設けられ、第２タッチパネル１０Ｂは筐体１の上部に設けられている。第１タッチパネル１０Ａへの入力操作を行い易いように、天板１Ａ及び第１タッチパネル１０Ａの画面は、手前側が低く奥側が高くなるようにやや傾斜している。第２タッチパネル１０Ｂのディスプレイ画面は、略垂直に立った状態となっている。第１タッチパネル１０Ａと第２タッチパネル１０Ｂのディスプレイ画面は同程度の大きさとなっている。
【００２０】
第１タッチパネル１０Ａ及び第２タッチパネル１０Ｂは、画像を含む情報を表示したり、利用者から各種指示の入力を受け付けたりする。第１タッチパネル１０Ａは、画像プリント装置への画像データの入力方法（例えば、記憶媒体の使用、携帯端末からの赤外線通信、又はスマートフォンからの無線通信）選択画面、注意事項の表示画面、プリント出力する画像データの選択やプリント枚数指定などを受け付ける注文画面（図３参照）、注文内容や請求金額の確認画面等の基本操作画面を表示する。第２タッチパネル１０Ｂは、後述するように、画像検索画面（図４参照）を表示する。
【００２１】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図２に示すように、データ入力部１１は筐体１の上部、具体的には筐体１の天板１Ａと第２タッチパネル１０Ｂとの間に設けられている。
【００２２】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００２３】
プリンタ１３は、昇華型又はインクジェット型などの高解像度カラープリンタであり、注文内容に基づいて、画像データをプリントして出力する。プリンタ１３は筐体１内に収容されている。プリンタ１３は複数台設置されていてもよい。図２に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００２４】
ディスク装置１５は、画像処理プログラム、制御プログラム、及び画像データに対して合成可能な編集アイテムを格納する。ディスク装置１５は例えばハードディスクドライブである。
【００２５】
ＣＰＵ１４は、ディスク装置１５内の画像処理プログラムをメインメモリ１６にロードして、画像処理プログラムを実行する。画像処理プログラムの実行に伴い、メインメモリ１６には、入力された画像データ、画像データを縮小したサムネイル画像用データ、注文内容などを格納する領域が確保される。
【００２６】
また、ＣＰＵ１４は、ディスク装置１５内の制御プログラムをメインメモリ１６にロードし、制御プログラムを実行することで、第１タッチパネル１０Ａ、第２タッチパネル１０Ｂ、課金部１２及びプリンタ１３を制御する制御部１４０として機能する。
【００２７】
制御部１４０は、データ入力部１１を介して記憶媒体や携帯端末から画像データが入力されると、図３に示すように、注文画面を作成し、画像データを縮小した第１サムネイル画像３０を第１タッチパネル１０Ａに表示する。データ入力部１１を介して入力された画像データの数が多く、１画面で表示しきれない場合は、ページ切替ボタン３１を押下（接触）してページを切り替える、またはスクロールバー３５を操作する、または第１タッチパネル１０Ａの画面上でフリック操作を行うことにより、全ての画像データについての第１サムネイル画像３０を確認することができる。第１サムネイル画像３０の両側部には拡大ボタン３２及び編集ボタン３３が設けられ、下部には、その画像のプリント枚数を指定するプリント枚数増減ボタン３４が設けられている。
【００２８】
拡大ボタン３２を押下すると、このサムネイル画像を拡大表示することができる。編集ボタン３３を押下すると、第１タッチパネル１０Ａの表示が、この画像を編集する編集画面に切り替わり、フレームやスタンプ等の編集アイテムを画像に合成したり、画像に文字を書き込んだりすることができる。プリント枚数増減ボタン３４を押下すると、各画像のプリント枚数を指定し、印刷注文を入力することができる。
【００２９】
制御部１４０は、第１タッチパネル１０Ａに第１サムネイル画像３０を表示するとともに、図４に示すように、検索画面を作成し、第２タッチパネル１０Ｂに表示する。検索画面は、各季節に対応した複数の季節別表示領域４０を有する。季節別表示領域４０には、対応する季節（期間）に撮影された画像（画像データを縮小した第２サムネイル画像）５２と、その画像の撮影日の日付（撮影日情報）とを組み合わせた日別画像表示領域５０が設けられる。
【００３０】
同一日に複数の画像が撮影されている場合、日別画像表示領域５０には複数の画像のうちの１つの画像５２がサムネイル表示されると共に、その日に撮影された画像の数も表示される。これにより、利用者は、その日に複数の画像が撮影されていることを容易に知ることができる。日別画像表示領域５０に表示される第２サムネイル画像５２は、例えば、その撮影日のうち最も撮影時刻の早い画像である。
【００３１】
１つの季節に画像を撮影した日が多数あり、季節別表示領域４０に全ての日別画像表示領域５０を表示しきれない場合は、遷移ボタン４２を操作することにより、全ての日別画像表示領域５０を確認することができる。また、データ入力部１１を介して入力された画像データの撮影日が長期間にわたり、季節別表示領域４０を第２タッチパネル１０Ｂの１画面で表示しきれない場合は、スクロールバー４４を操作する、または第２タッチパネル１０Ｂの画面上でフリック操作を行うことにより、全ての季節別表示領域４０を確認することができる。
【００３２】
利用者が第２タッチパネル１０Ｂの検索画面上の第２サムネイル画像５２を選択（押下）すると、制御部１４０は、選択された第２サムネイル画像５２と撮影日が同じ画像について、第１サムネイル画像３０を第１タッチパネル１０Ａに表示させる。第２タッチパネル１０Ｂの検索画面上では、第２サムネイル画像５２を選択（押下）してもよいし、この第２サムネイル画像５２を含む日別画像表示領域５０を選択（押下）してもよい。
【００３３】
例えば、第２タッチパネル１０Ｂの検索画面において、２０１３年の夏に対応する季節別表示領域４０内の７月２０日の第２サムネイル画像５２（日別画像表示領域５０）を選択する場合を考える。７月２０日の第２サムネイル画像５２（日別画像表示領域５０）が選択されると、制御部１４０は、図５に示すように、２０１３年７月２０日に撮影された画像データを縮小した第１サムネイル画像３０を第１タッチパネル１０Ａに表示する。利用者は、第１タッチパネル１０Ａに表示された第１サムネイル画像３０を確認して、プリント注文する画像を選択し、プリント枚数を入力する。
【００３４】
第２タッチパネル１０Ｂの検索画面において、日別画像表示領域５０には１つの第２サムネイル画像５２しか表示されないが、利用者は表示されている第２サムネイル画像５２を見れば、その日の行動や、どのような画像を撮影したかを思い出し、探している画像を撮影した日であるか否かを判断することができる。
【００３５】
例えば、利用者が「２０１３年の夏に動物園へ行った際に撮影した子供の写真をプリントしたい」と思っている場合、第２タッチパネル１０Ｂの検索画面で２０１３年の夏に対応する季節別表示領域４０を確認する。２０１３年夏の季節別表示領域４０には、複数の日別画像表示領域５０があり、このうち７月２０日の日別画像表示領域５０の第２サムネイル画像５２が動物の画像である場合、この日が動物園に行った日であることが即座に分かる。利用者が７月２０日の第２サムネイル画像５２（日別画像表示領域５０）を選択すると、第１タッチパネル１０Ａには撮影日が２０１３年７月２０日である第１サムネイル画像３０が表示される。利用者は、第１タッチパネル１０Ａに表示された第１サムネイル画像３０から、プリントを所望する子供の画像を容易に探し出し、プリント注文することができる。
【００３６】
第２タッチパネル１０Ｂの検索画面は、第１タッチパネル１０Ａにおけるサムネイル画面の表示に伴い、自動的に表示される。第２タッチパネル１０Ｂに検索画面を表示するにあたり、利用者には特別な操作は要求されない。従って、利用者が、画像プリント装置の操作に慣れていなくても、第２タッチパネル１０Ｂの検索画面を用いて、所望の画像を容易に探し出すことができる。
【００３７】
本実施形態による画像プリント装置では、第１タッチパネル１０Ａに第１サムネイル画像３０を表示するとともに、第２タッチパネル１０Ｂに季節毎に表示領域４０が区分された検索画面が表示される。季節別表示領域４０には、撮影日別に、第２サムネイル画像５２を含む日別画像表示領域５０が設けられる。表示領域４０が季節毎に区分されているため、利用者は、所望の画像がどの季節別表示領域４０に対応するものであるか、直感的に判断することができる。また、利用者は、それぞれの日別画像表示領域５０内の第２サムネイル画像５２から、所望の画像がその撮影日に撮影したものか否かを直感的に判断することができる。利用者が、第２サムネイル画像５２（日別画像表示領域５０）を選択すると、第１タッチパネル１０Ａには同一撮影日の第１サムネイル画像３０が表示され、所望の画像を容易に探し出すことができる。
【００３８】
このように、本実施形態では、第１タッチパネル１０Ａのサムネイル画面において何度もページ切り替えやスクロール操作を行わなくても、第２タッチパネル１０Ｂに自動的に表示される検索画面において、所望の画像の撮影日に対応する第２サムネイル画像５２（日別画像表示領域５０）を選択することで、所望の画像と同一撮影日の第１サムネイル画像３０を第１タッチパネル１０Ａに表示されるため、所望の画像のプリント注文を速やかに行うことができる。
【００３９】
上述した第１タッチパネル１０Ａ及び第２タッチパネル１０Ｂの表示制御は制御部１４０により行われる。また、制御部１４０は、第１タッチパネル１０Ａを介した印刷注文の入力を受け付ける受付部としての機能を有し、印刷注文に基づいて画像データをプリンタ１３へ送信し、プリント出力するように制御する。
【００４０】
次に、図６に示すフローチャートを用いて、本実施形態に係る画像プリントの処理の流れを説明する。
【００４１】
（ステップＳ１０１）データ入力部１１が画像データの入力を受け付ける。
【００４２】
（ステップＳ１０２）制御部１４０が、第１タッチパネル１０Ａのディスプレイに、画像データを縮小した第１サムネイル画像３０を表示する。また、制御部１４０が、季節別表示領域４０を含む検索画面を作成し、第２タッチパネル１０Ｂのディスプレイに表示する。制御部１４０は、ステップＳ１０１で入力された画像データから撮影日時情報を検出し、各撮影日についての日別画像表示領域５０を、対応する季節別表示領域４０に作成する。また、各撮影日において最も撮影時刻の早い画像データを縮小し、第２サムネイル画像５２を作成し、対応する日別画像表示領域５０に表示する。これにより、図４に示すような検索画面が第２タッチパネル１０Ｂに表示される。
【００４３】
（ステップＳ１０３）第２タッチパネル１０Ｂにおいて第２サムネイル画像５２（日別画像表示領域５０）が選択された場合はステップＳ１０４へ進む。
【００４４】
（ステップＳ１０４）制御部１４０が、ステップＳ１０３で選択された第２サムネイル画像５２（日別画像表示領域５０）と撮影日が同一の画像データを縮小した第１サムネイル画像３０を第１タッチパネル１０Ａに表示し、第１タッチパネル１０Ａの表示を切り替える。
【００４５】
（ステップＳ１０５）利用者が、第１タッチパネル１０Ａにおいて、プリント注文する画像（第１サムネイル画像３０）を選択する。このとき、編集ボタン３３を押下し、編集画面にて画像の編集を行ってもよい。
【００４６】
（ステップＳ１０６）プリント枚数増減ボタン３４を押下してプリント枚数を入力する。
【００４７】
（ステップＳ１０７）注文が完了した場合はステップＳ１０８に進む。注文を続ける場合はステップＳ１０３に戻る。
【００４８】
（ステップＳ１０８）利用者からの注文内容に基づく請求金額が第１タッチパネル１０Ａに表示される。利用者が貨幣を投入すると、課金部１２は投入された貨幣を計数し、釣銭の出金やレシートの印字等を行う。
【００４９】
（ステップＳ１０９）制御部１４０が、プリンタ１３に、注文内容に基づく画像データのプリントを実行させる。
【００５０】
以上のように、本実施形態による画像プリント装置は、第１タッチパネル１０Ａに第１サムネイル画像３０を表示するとともに、第２タッチパネル１０Ｂに季節別表示領域４０及び日別画像表示領域５０を含む検索画面を表示する。利用者は、所望の画像を撮影した撮影日を正確に記憶していなくても、撮影した季節はわかるため、その季節に対応する季節別表示領域４０を確認する。季節別表示領域４０には、第２サムネイル画像５２を含む日別画像表示領域５０が設けられている。利用者は、第２サムネイル画像５２を手掛かりに、その日の行動を思い出すことができ、所望の画像を撮影した日であったかを直感的に判断することができる。利用者が、第２サムネイル画像５２（日別画像表示領域５０）を選択すると、選択した日に撮影された画像が第１タッチパネル１０Ａにサムネイル表示される。利用者は、第１タッチパネル１０Ａに表示された第１サムネイル画像３０から、所望の画像を容易に探し出し、プリント注文することができる。
【００５１】
画面に１ヶ月分のカレンダーを表示し、各日付にサムネイル画像を表示する検索画面では、画像を探す際に月移動（表示月の変更）が多く手間がかかる。特に、写真撮影を頻繁には行わない利用者の場合、撮影日がほとんど無い月もあり、１ヶ月単位のカレンダー表示では検索の効率が良くない。これに対し、本実施形態では、第２タッチパネル１０Ｂの検索画面に季節別表示領域４０を設けており、長期間にわたる撮影日（日別画像表示領域５０）が一目で確認できるため、効率良く画像を探し出すことができる。
【００５２】
上記実施形態では、筐体１内にプリンタ１３を備え、その場でプリント物を出力する画像プリント装置について説明したが、プリンタ１３を省略し、プリント注文の受け付けを行う注文受付端末としてもよい。この場合、注文受付端末には、プリント注文された画像データ及び注文内容を、有線又は無線ネットワークを介してプリンタサーバへ送信する通信部が設けられる。利用者は郵送等によってプリント物を受け取る。
【００５３】
上記実施形態では、日別画像表示領域５０に１つの第２サムネイル画像５２を表示していたが、複数の第２サムネイル画像５２を表示してもよい。ただし、第２サムネイル画像５２の数が多すぎると、第２サムネイル画像５２の表示サイズが小さくなり、画像が確認し難くなるため、日別画像表示領域５０に表示される第２サムネイル画像５２は２つ又は３つ程度が好ましい。
【００５４】
上記実施形態では、季節別表示領域４０に日別画像表示領域５０を設ける例について説明したが、撮影日が多数ある場合、季節別表示領域４０に日別画像表示領域５０が多数設けられ、遷移ボタン４２の操作など、確認に手間がかかる。このような場合、図７に示すように、週別画像表示領域６０を設けてもよい。週別画像表示領域６０には、その週に撮影された画像のうち、最も撮影日時の早いものが第２サムネイル画像６２として表示される。また、第２サムネイル画像６２とともに表示される撮影日情報は、対応する期間（１週間）を示す。複数日にわたる週別画像表示領域６０とすることで、日別画像表示領域５０と比較して、季節別表示領域４０に設けられる画像表示領域の数を減らすことができ、遷移ボタン４２の操作等の手間を軽減することができる。
【００５５】
週別画像表示領域６０には、その週に撮影された１つの第２サムネイル画像６２しか表示されないが、利用者は表示されている第２サムネイル画像６２を見れば、どのような行動をとっていた時期かを思い出し、探している画像を撮影した日が含まれるか否かを判断することができる。利用者が第２サムネイル画像６２（週別画像表示領域６０）を選択すると、制御部１４０は、選択された第２サムネイル画像６２と撮影週が同じ画像について、第１サムネイル画像３０を第１タッチパネル１０Ａに表示させる。利用者は、第１タッチパネル１０Ａに表示された第１サムネイル画像３０から、所望の画像を容易に探し出し、プリント注文することができる。
【００５６】
季節別表示領域４０に日別画像表示領域５０を表示するか、又は週別画像表示領域６０を表示するかを、利用者からの指示により切り替えられるようにしてもよい。
【００５７】
また、撮影日が連続する画像がある場合は、図８に示すように、それらを一纏めにした期間別画像表示領域７０を設けてもよい。多くの利用者は、撮影を行うのは１ヶ月に数日程度であり、撮影日の間隔が数日〜数週間空き、連日撮影を行うのは旅行など特別な場合である。そのため、撮影日が連続する画像がある場合は、各撮影日について日別画像表示領域５０を設ける代わりに、期間別画像表示領域７０を設ける。この期間別画像表示領域７０には、その期間に撮影された画像のうち、最も撮影日時の早いものが第２サムネイル画像７２として表示される。
【００５８】
利用者が第２サムネイル画像７２（期間別画像表示領域７０）を選択すると、制御部１４０は、選択された第２サムネイル画像７２と撮影期間が同じ画像について、第１サムネイル画像３０を第１タッチパネル１０Ａに表示させる。これにより、撮影日が連続する、例えば旅行など特別な行事の画像がまとめて第１タッチパネル１０Ａに表示され、プリント注文を効率良く行うことができる。
【００５９】
第２タッチパネル１０Ｂの検索画面では、複数の第２サムネイル画像５２（日別画像表示領域５０）を選択してもよい。利用者が第２タッチパネル１０Ｂの検索画面上の複数の第２サムネイル画像５２を選択すると、制御部１４０は、選択された複数の第２サムネイル画像５２と撮影日が同じ画像について、第１サムネイル画像３０を第１タッチパネル１０Ａに表示させる。第２サムネイル画像５２が選択されると、その第２サムネイル画像５２を含む日別画像表示領域５０の色が変わるようにしてもよいし、図９に示すように、日別画像表示領域５０内のチェックボックス５４にチェックが入るようにしてもよい。
【００６０】
第２タッチパネル１０Ｂにおいて、選択中の第２サムネイル画像５２（日別画像表示領域５０）を再度選択（押下）すると、選択が解除され、第１タッチパネル１０Ａにおいて、対応する撮影日の第１サムネイル画像３０が消去される。全ての第２サムネイル画像５２（日別画像表示領域５０）の選択が解除されると、第１タッチパネル１０Ａの表示は図３に示すような通常のサムネイル画面に戻る。
【００６１】
上記実施形態では、第２タッチパネル１０Ｂの検索画面に、季節毎に区分された季節別表示領域４０を設ける例について説明したが、季節でなくイベント毎に区分してもよい。例えば、図１０に示すように、ゴールデンウィーク、ハロウィン、クリスマス、正月、バレンタインデーなどのイベント別表示領域８０を設けてもよい。各イベントには対応する期間が設定されている。写真撮影は、このようなイベント時に行われることが多く、検索画面にイベント別表示領域８０を設けることで、所望の画像が探し出しやすくなる。イベント間には、イベント非対応時期の表示領域８２が設けられる。イベント別表示領域８０や表示領域８２に表示される第２サムネイル画像５２（日別画像表示領域５０）を選択した後の処理は、上記実施形態と同様である。
【００６２】
第２タッチパネル１０Ｂの検索画面における区分を、季節別表示領域４０とするか、又はイベント別表示領域８０とするかを、利用者からの指示により切り替えられるようにしてもよい。
【００６３】
上記実施形態では、第１タッチパネル１０Ａ及び第２タッチパネル１０Ｂの上下に配置された２つのタッチパネルを備える構成について説明したが、１つの大型タッチパネルの表示領域を上下に二分し、下側を第１タッチパネル１０Ａ、上側を第２タッチパネル１０Ｂのように機能させてもよい。例えば、図１１に示すように、筐体１の上部から利用者の手元側まで延びる天板１Ｂの平坦な傾斜面に大型のタッチパネル１０Ｃを設け、タッチパネル１０Ｃの上側と下側とを個別に表示制御する。この場合、データ入力部１１は、例えば筐体１の前面側に設けられる。また、横長の大型タッチパネルの表示領域を左右に二分し、一方を第１タッチパネル１０Ａ、他方を第２タッチパネル１０Ｂのように機能させてもよい。
【００６４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６５】
１  筐体
１Ａ  天板
２  開閉扉
１０Ａ  第１タッチパネル
１０Ｂ  第２タッチパネル
１１  データ入力部
１２  課金部
１３  プリンタ
１４  ＣＰＵ
１５  ディスク装置
１６  メインメモリ
３０  第１サムネイル画像
４０  季節別表示領域
５０  日別画像表示領域
５２  第２サムネイル画像
【図１】
0006459254.tif 000002
【図２】
0006459254.tif 000003
【図３】
0006459254.tif 000004
【図４】
0006459254.tif 000005
【図５】
0006459254.tif 000006
【図６】
0006459254.tif 000007
【図７】
0006459254.tif 000008
【図８】
0006459254.tif 000009
【図９】
0006459254.tif 000010
【図１０】
0006459254.tif 000011
【図１１】
0006459254.tif 000012